(57)【要約】      （修正有）【課題】回転振動吸収、回転マッサージ、滑り止め、巻き止め、通気、快適などの機能を有するインソール及び靴を提供する。【解決手段】インソール４０は、基材を備え、基材は正面４０１１及び背面４０１５を備え、背面４０１５は靴内底面に対向し、正面４０１１は人の足底に対向し、正面４０１１には同じ高度を有する複数の突起部が均一に設置され、突起部は凸柱４０３１を備え、凸柱４０３１は基材に固定され、凸柱４０３１は基材から１〜７ｍｍの高度に突出され、基材における突起部の分布率は３０％−７０％である。靴は、靴底及び靴面を備え、靴底と靴面は境界で接続されて開口収容空間を形成し、開口は靴口であり、靴底は正面及び背面を備え、背面は地面に対向し、正面は人の足底に対向し、正面には同じ高度を有する複数の突起部が均一に設置され、突起部は凸柱を備え、凸柱は靴底に固定され、凸柱は靴底から１〜７ｍｍの高度に突出され、靴底における突起部の分布率は３０％−７０％である。【選択図】図７
0003213706.tif 000002
【実用新案登録請求の範囲】
【請求項１】
基材を備え、前記基材は正面及び背面を備え、前記背面は靴内底面に対向し、前記正面は人の足底に対向するインソールであって、
前記正面には同じ高度を有する複数の突起部が均一に設置され、前記突起部は凸柱を備え、前記凸柱は前記基材に固定され、前記凸柱は前記基材から１〜７ｍｍの高度に突出され、前記基材における前記突起部の分布率は３０％−７０％であることを特徴とするインソール。
【請求項２】
前記突起部は上カバーをさらに備え、前記凸柱と前記上カバーは一体成型され、前記凸柱は前記基材に固定され、前記上カバーは人の足底に接触し、前記凸柱は円柱形実体又は角柱形実体であり、その高度は前記上カバーの厚さより大きいことを特徴とする請求項１に記載のインソール。
【請求項３】
隣り合う２つの前記突起部の間の隙間は０．５〜５ｍｍであり、前記凸柱の直径は１〜７ｍｍであることを特徴とする請求項１に記載のインソール。  
【請求項４】
前記突起部の伸長率は２００〜８００％であり、材料はシリコンゴムを選択し、シリコンゴムのショア硬さＡは１０〜５０度であることを特徴とする請求項１に記載のインソール。
【請求項５】
前記突起部は、前記基材の正面に垂直する状態と、圧力を受けて変形された状態と、前記突起部の上カバー又は一部分の凸柱が前記基材の正面に接触する状態と、を備えることを特徴とする請求項２に記載のインソール。
【請求項６】
前記基材における前記突起部の被覆率は４５％〜５５％であり、隣り合う２つの前記突起部の間の隙間は１ｍｍであることを特徴とする請求項１に記載のインソール。
【請求項７】
前記突起部の初期状態は前記基材の正面に垂直し、外部の圧力を受けると、各突起部は全て初期状態における突起部と基材の垂直軸線をめぐって立体３６０°回転し、外部の圧力が除去された後、前記突起部は自動的に初期状態に回復することを特徴とする請求項１に記載のインソール。
【請求項８】
前記基材の正面と背面との間にはさらに硬質中間層が設置され、前記硬質中間層は外力を受けると巻き軸に回り折り畳ませることができることを特徴とする請求項１に記載のインソール。
【請求項９】
前記突起部の上方にはさらに保温層が粘着固定されることを特徴とする請求項１乃至請求項８のいずれか一項に記載のインソール。
【請求項１０】
前記インソールの形状及び面積は、人の足底全部がインソールの基材に垂直投影された平面形状と同じであり、面積寸法は同じであり、又は人の部分足底がインソールの基材に垂直投影された平面形状と同じであり、面積寸法は同じであることを特徴とする請求項１乃至請求項８のいずれか一項に記載のインソール。
【請求項１１】
靴底及び靴面を備え、前記靴底と前記靴面は境界で接続されて開口収容空間を形成し、開口は靴口であり、前記靴底は正面及び背面を備え、前記背面は地面に対向し、前記正面は人の足底に対向する靴であって、
前記正面には同じ高度を有する複数の突起部が均一に設置され、前記突起部は凸柱を備え、前記凸柱は前記靴底に固定され、前記凸柱は前記靴底から１〜７ｍｍの高度に突出され、前記靴底における前記突起部の分布率は３０％−７０％であることを特徴とする靴。
【請求項１２】
前記突起部は上カバーをさらに備え、前記凸柱と前記上カバーは一体成型され、前記凸柱は前記靴底に固定され、前記上カバーは人の足底に接触し、前記凸柱は円柱形実体又は角柱形実体であり、その高度は前記上カバーの厚さより大きいことを特徴とする請求項１１に記載の靴。
【請求項１３】
隣り合う２つの前記突起部の間の隙間は０．５〜５ｍｍであり、前記凸柱の直径は１〜７ｍｍであることを特徴とする請求項１１に記載の靴。
【請求項１４】
前記突起部毎の形状及び寸法は同じであり、上カバーの形状は半球状であることを特徴とする請求項１３に記載の靴。
【請求項１５】
前記突起部の伸長率は２００〜４００％であり、材料はシリコンゴムを選択し、シリコンゴムのショア硬さＡは１０〜５０度であることを特徴とする請求項１４に記載の靴。
【請求項１６】
前記突起部は、前記基材の正面に垂直する状態と、圧力を受けて変形された状態と、前記突起部の上カバー又は一部分の凸柱が前記基材の正面に接触する状態と、を備えることを特徴とする請求項１２に記載の靴。
【請求項１７】
前記靴底における前記突起部の被覆率は４５％〜５５％であり、隣り合う２つの前記突起部の間の隙間は１ｍｍであることを特徴とする請求項１１に記載の靴。
【請求項１８】
前記突起部の初期状態は前記靴底の正面に垂直し、外部の圧力を受けると、各突起部は全て初期状態における突起部と靴底正面の垂直軸線をめぐって立体３６０°回転し、外部の圧力が除去された後、前記突起部は自動的に初期状態に回復することを特徴とする請求項１１に記載の靴。
【請求項１９】
前記突起部の上方にはさらに保温層が粘着固定されることを特徴とする請求項１１乃至請求項１８のいずれか一項に記載の靴。
【請求項２０】
前記突起部の設置領域の形状及び面積は、人の足底全部が靴底に垂直投影された平面形状と同じであり、面積寸法は同じであり、又は人の部分足底が靴底に垂直投影された平面形状と同じであり、面積寸法は同じであることを特徴とする請求項１１乃至請求項１８のいずれか一項に記載の靴。
【考案の詳細な説明】
【技術分野】
【０００１】
本考案は、インソール及び靴に関するものであって、特に、回転振動吸収、回転マッサージ、滑り止め、軽量、快適などの機能を有するインソール及び靴に関するものである。
【背景技術】
【０００２】
靴は人々の毎日の生活で不可欠の使用物品である。現代人の靴は全てロット生産されており、靴内部の底層はほとんど平面であり、振動吸収設計がなく、又は振動吸収設計があっても、靴の振動吸収効果は全面ではなく、人が歩くときに、足部の快適性を満足することはできない。だから、人が歩くときに、足部の快適性を高めるために、振動吸収設計があるインソールによって靴の回転振動機能を増加することを必要とする。
【０００３】
図１を参照すると、伝統的なインソール１０であり、基材１０１を備え、基材１０１は人の足底に対向する正面及び足底に対向する背面を備え、基材１０１の正面及び背面は全て平面であり、その形状はほとんど靴底部と一致し、一般的にテキスタイル（織物）、革、ＥＶＡ発泡材料を採用してシート状構造に製作される。このようなインソール１０の通気性は悪く、その構造及び機能は単一であり、ただ靴内底部の厚さを増加するだけで、振動吸収設置はない。
【０００４】
図２及び図３を参照すると、伝統的なインソール２０であり、基材２０１を備え、基材２０１は人の足底に対向する正面及び靴内底面に対向する背面を備え、基材２０１の正面及び背面は全て平面であり、その形状はほとんど靴底部と一致する。基材２０１の正面には突起２０３が設置されており、突起２０３は足底に対向する。突起２０３は、半球状突起２０３であり、基材２０１の上に均一に分布される。基材２０１及び突起２０３の材料はテキスタイル、シリコンゴム、ＴＰＵを採用し、押圧してなる。インソール２０の上に多くの半球状突起２０３が設置されたので、突起２０３が圧力を受ける場合、力が加わる点又は面は押圧されて平たくなり、上下方向の弾力を有する圧弾振動吸収マッサージを達することができるが、このようなインソール２０の突起２０３は半球状であり、突起２０３の密度などのパラメーターに対する詳細な規定もないので、このようなインソール２０は湾曲変形することはできなく、突起２０３の振動吸収効果は単一であり、回転振動吸収及び回転マッサージ機能はない。特に、登山の過程で、科学的なレイアウトがない突起インソールは人を助けて足の痛みを緩和して足部快適度を高めることはできない。
【０００５】
インソール１０、２０の基材１０１、２０１は滑り止め、巻き止め設置がないので、人が歩く過程で、インソールが靴から滑り出し易く、又はインソールが靴内で巻き易い。
【０００６】
図４及び図５を参照すると、伝統的な靴３０であり、靴底３０１を備え、靴底３０１は人の足底に対向する正面３０１１及び靴内底面に対向する背面３０１５を備え、靴底３０１の正面３０１１及び背面３０１５は全て平面であり、靴底３０１の正面３０１１には突起３０３が設置されており、突起３０３は足底に対向する。突起３０３は、半球状突起３０３であり、靴底３０１の上に均一に分布される。突起３０３の材料はテキスタイル、シリコンゴム、ＴＰＵを採用し、押圧してなる。靴底３０１の上に多くの半球状突起３０３が設置されたので、突起３０３が圧力を受ける場合、力を加わる点又は面は押圧されて平たくなり、上下方向の弾力を有する圧弾振動吸収マッサージを達することができるが、このような靴３０の突起３０３は半球状であり、突起３０３の密度などのパラメーターに対する詳細な規定もないので、このような靴３０は湾曲変形することはできなく、突起３０３の振動吸収効果は単一であり、回転振動吸収及び回転マッサージ機能はない。特に、登山の過程で、科学的なレイアウトがない突起は人を助けて足の痛みを緩和して足部快適度を高めることはできない。
【０００７】
上述した原因に基づいて、回転振動吸収、回転マッサージ、滑り止め、巻き止め、通気、快適などの機能を有するインソール及び靴を提供することを必要とする。
【考案の概要】
【考案が解決しようとする課題】
【０００８】
本考案の目的は、従来の技術におけるインソールの振動吸収及びマッサージ効果がよくない技術問題を解決するために、対応する機能を有するインソール及び靴を提供することにある。
【課題を解決するための手段】
【０００９】
上記課題を解決するための本考案のインソールは、基材を備え、基材は正面及び背面を備え、背面は靴内底面に対向し、正面は人の足底に対向し、正面には同じ高度を有する複数の突起部が均一に設置され、突起部は凸柱を備え、凸柱は基材に固定され、凸柱は基材から１〜７ｍｍの高度に突出され、基材における突起部の分布率は３０％−７０％である。
【００１０】
好ましくは、突起部は上カバーをさらに備え、凸柱と上カバーは一体成型され、凸柱は基材に固定され、上カバーは人の足底に接触し、凸柱は円柱形実体又は角柱形実体であり、その高度は上カバーの厚さより大きい。
【００１１】
好ましくは、隣り合う２つの突起部の間の隙間は０．５〜５ｍｍであり、凸柱の直径は１〜７ｍｍである。
【００１２】
好ましくは、突起部の伸長率は２００〜８００％であり、材料はシリコンゴムを選択し、シリコンゴムのショア硬さＡは１０〜５０度である。
【００１３】
好ましくは、突起部は、基材の正面に垂直する状態と、圧力を受けて変形された状態と、突起部の上カバー又は一部分の凸柱が基材の正面に接触する状態と、を備える。
【００１４】
好ましくは、基材における突起部の被覆率は４５％〜５５％であり、隣り合う２つの突起部の間の隙間は１ｍｍである。
【００１５】
好ましくは、突起部の初期状態は基材の正面に垂直し、外部の圧力を受けると、各突起部は全て初期状態における突起部と基材の垂直軸線をめぐって立体３６０°回転し、外部の圧力が除去された後、突起部は自動的に初期状態に回復する。
【００１６】
好ましくは、基材の正面と背面との間にはさらに硬質中間層が設置され、硬質中間層は外力を受けると巻き軸に回り折り畳ませることができる。
【００１７】
好ましくは、突起部の上方にはさらに保温層が粘着固定される。
【００１８】
好ましくは、インソールの形状及び面積は、人の足底全部がインソールの基材に垂直投影された平面形状と同じであり、面積寸法は同じであり、又は人の部分足底がインソールの基材に垂直投影された平面形状と同じであり、面積寸法は同じである。
【００１９】
上記課題を解決するための本考案の靴は、靴底及び靴面を備え、靴底と靴面は境界で接続されて開口収容空間を形成し、開口は靴口であり、靴底は正面及び背面を備え、背面は地面に対向し、正面は人の足底に対向し、正面には同じ高度を有する複数の突起部が均一に設置され、突起部は凸柱を備え、凸柱は靴底に固定され、凸柱は靴底から１〜７ｍｍの高度に突出され、靴底における突起部の分布率は３０％−７０％である。
【００２０】
好ましくは、突起部は上カバーをさらに備え、凸柱と上カバーは一体成型され、凸柱は靴底に固定され、上カバーは人の足底に接触し、凸柱は円柱形実体又は角柱形実体であり、その高度は上カバーの厚さより大きい。
【００２１】
好ましくは、隣り合う２つの突起部の間の隙間は０．５〜５ｍｍであり、凸柱の直径は１〜７ｍｍである。
【００２２】
好ましくは、突起部毎の形状及び寸法は同じであり、上カバーの形状は半球状である。
【００２３】
好ましくは、突起部の伸長率は２００〜４００％であり、材料はシリコンゴムを選択し、シリコンゴムのショア硬さＡは１０〜５０度である。
【００２４】
好ましくは、突起部は、靴底の正面に垂直する状態と、圧力を受けて変形された状態と、突起部の上カバー又は一部分の凸柱が靴底の正面に接触する状態と、を備える。
【００２５】
好ましくは、靴底における突起部の被覆率は４５％〜５５％であり、隣り合う２つの突起部の間の隙間は１ｍｍである。
【００２６】
好ましくは、突起部の初期状態は靴底の正面に垂直し、外部の圧力を受けると、各突起部は全て初期状態における突起部と靴底正面の垂直軸線をめぐって立体３６０°回転し、外部の圧力が除去された後、突起部は自動的に初期状態に回復する。
【００２７】
好ましくは、突起部の上方にはさらに保温層が粘着固定される。
【００２８】
好ましくは、突起部の設置領域の形状及び面積は、人の足底全部が靴底に垂直投影された平面形状と同じであり、面積寸法は同じであり、又は人の部分足底が靴底に垂直投影された平面形状と同じであり、面積寸法は同じである。
【考案の効果】
【００２９】
従来の技術に比べて、本考案に係わるインソールの基材の上には人体足部を支持するための複数の突起部が均一に設置されており、突起部は柔軟な弾性材料により製作され、且つ大量な隙間があるので、靴内部の空気流通を保持することにより通気を確保して、靴の異臭の発生を防止する。
【００３０】
突起部の形状、寸法、分布密度に対して科学的に設計することにより、回転振動吸収及び回転マッサージ効果を有するインソールを製作する。
【００３１】
インソールの基材の背面は滑り止め材料を採用するので、インソールが靴内底面に緊密に貼り合せることにして、変位しない。基材の中部には硬質中間層を設置したので、インソールは靴から滑り出さなく且つ靴内で巻き状態にならなく、インソールの実用性を増加する。
【００３２】
突起部の上に保温層を設置したので、さらにインソールの快適度及びインソールの保温効果を増加する。
【００３３】
本考案のインソールを使用する場合、人が長時間に歩いたり登山したりしてもたらす足の痛みを効果的に解決し、足の痛みによる足部筋肉不快適を効果的に緩和することができる。柔軟、回転振動吸収、回転マッサージの特性は、常に屋外運動をする人々に適切である。  
【００３４】
本考案において、靴の靴底には人体足部を支持するための複数の突起部が均一に設置されており、突起部は柔軟であり且つ弾性を有するシリコンゴムにより製作され、且つ大量な隙間があるので、靴の内部の空気流通を保持することにより通気を確保して、靴の異臭の発生を防止する。  
【００３５】
突起部の形状、寸法、分布密度に対して科学的に設計することにより、回転振動吸収及び回転マッサージ効果を有する靴を製作する。
【００３６】
突起部の上に保温層を設置したので、さらに靴の快適度及び靴の保温効果を増加する。
【００３７】
本考案の靴を使用する場合、人が長時間に歩いたり登山したりしてもたらす足の痛みを効果的に解決し、足の痛みによる足部筋肉不快適を効果的に緩和することができる。柔軟、回転振動吸収、回転マッサージの特性は、常に屋外運動をする人々に適切である。
【図面の簡単な説明】
【００３８】
【図１】従来の技術一に係わるインソールの構造を示す図である。
【図２】従来の技術二に係わるインソールの構造を示す平面図である。
【図３】従来の技術二に係わるインソールの構造を示す垂直方向の断面図である。
【図４】従来の技術三に係わる靴の構造を示す平面図である。
【図５】従来の技術三に係わる靴の構造を示す垂直方向の断面図である。
【図６】本考案の第一実施例に係わるインソールの構造を示す平面図である。
【図７】本考案の第一実施例に係わるインソールの構造を示す垂直方向の断面図である。
【図８】考案の第一実施例に係わるインソールの突起部が力を受けてから変形する状態を示す図である。
【図９】考案の第一実施例に係わるインソールの突起部が力を受けてから回転振動吸収マッサージ効果を形成することを示す図である。
【図１０】考案の第一実施例に係わるインソールの巻き取り状態を示す図である。
【図１１】考案の第一実施例に係わるインソールの多層折り畳み状態を示す図である。
【図１２】本考案の第二実施例に係わるインソールの構造を示す平面図である。
【図１３】本考案の第三実施例に係わるインソールの構造を示す平面図である。
【図１４】本考案の第三実施例に係わるインソールの構造を示す垂直方向の断面図である。
【図１５】本考案の第四実施例に係わるインソールの構造を示す垂直方向の断面図である。
【図１６】本考案の第五実施例に係わる靴の構造を示す平面図である。
【図１７】本考案の第五実施例に係わる靴の構造を示す垂直方向の断面図である。
【図１８】本考案の第六実施例に係わる靴の構造を示す平面図である。
【図１９】本考案の第七実施例に係わる靴内部の構造を示す平面図である。
【図２０】本考案の第八実施例に係わる靴の構造を示す垂直方向の断面図である。
【考案を実施するための形態】
【００３９】
本考案の目的、技術方案及び利点をもっと明確するために、以下、図面を参照して本考案の実施方式について詳細に説明する。なお、これによって本考案が限定されるものではない。
【００４０】
図６及び図７を参照すると、本考案の第一実施例に係わるインソール４０であり、基材４０１を備え、基材４０１は人の足底に対向する正面４０１１及び靴内底面に対向する背面４０１５を備え、基材４０１の正面４０１１及び背面４０１５は全て平面であり、その形状はほとんど靴内底部と一致し、基材４０１の正面４０１１には複数の突起部４０３が均一に設置される。「均一に設置される」とは、設置された各突起部４０３はほぼ同じであり且つ隣り合う２つの突起部４０３の間の間隔は同じであることを指す。だから、基材４０１の正面４０１１に均一に設置された複数の突起部４０３において、いかなる単位面積内に分布された突起部４０３の数量は同じである。  
【００４１】
インソール４０は、足下、靴内に敷くためのものであり、全足底インソール（その形状及び大きさは全足底の形状に対応する）、前足部インソール（その形状及び大きさは前足部の形状に対応する）、踵部インソール（その形状及び大きさは踵部の形状に対応する）の中のいずれか一種又は多種であることができるが、これに限定されるものではない。
【００４２】
突起部４０３は、円柱形実体である凸柱４０３１と、円柱形実体である凸柱４０３１の上に設置された小さい半球状の上カバー４０３３と、を備える。円柱形実体である凸柱４０３１の高度は上カバー４０３３の全体厚さより大きい。円柱形実体である凸柱４０３１と上カバー４０３３は一体成型されて突起部４０３になり、円柱形実体である凸柱４０３１は基材４０１の正面４０１１に固定され、上カバー４０３３は人の足底に接触する。上カバー４０３３は小さい半球状であるので、足とインソール４０の接触面積を増加することに役立ち、足が受ける圧力を減少することに役立ち、且つ横方向の摩擦力を増加する。だから、人の足底に接触するときに特に快適に感じる。もちろん、上カバー４０３３を設置しなくてもよく、突起部４０３はただ所定高度を有する円柱形実体である凸柱４０３１からなる。
【００４３】
基材４０１の正面４０１１に設置された各突起部４０３は外力作用によって前後左右に傾斜してリバウンドすることができる。
【００４４】
基材４０１の正面４０１１と背面４０１５との間には中間層４０１３が挟まれる。基材４０１の背面４０１５は、滑り止め機能を有する滑り止め層であり、インソールが靴から滑り出すことを免れる。中間層４０１３は、硬質層であり、インソールが靴内で巻くことを免れる。
【００４５】
突起部４０３の横断面の直径は１〜７ｍｍであり、好ましくは３ｍｍであり、突起部４０３の高度は１〜７ｍｍであり、好ましくは３ｍｍであり、円柱形実体である凸柱４０３１が基材４０１から突出する高度も１〜７ｍｍである。突起部４０３は基材４０１の上に均一に分布され、隣り合う２つの突起部４０３の間の隙間は０．５〜５ｍｍであり、好ましくは１ｍｍである。隙間は隣り合う２つの突起部４０３の外壁の間の最短距離を指し、即ち図面に示された隙間Ｈである。全ての突起部４０３の被覆率、即ち全ての突起部４０３の底部面積の総和がインソール４０の表面積を占める比率は３０％〜７０％であり、好ましくは５１％である。
【００４６】
基材４０１の上の突起部４０３の材料はシリコンゴムを選択し、シリコンゴムのショア硬さ（ｓｈｏｒｅ  ｈａｒｄｎｅｓｓ）Ａは１０〜５０度であり、好ましくは３０度であり、伸長率は２００〜８００％である。基材４０１の上の突起部４０３の材料はＰＶＣ（Ｐｏｌｙｖｉｎｙｌ  ｃｈｌｏｒｉｄｅ  ｐｏｌｙｍｅｒ、ポリ塩化ビニル）、熱可塑性インク、ＥＶＡ（Ｅｔｈｙｌｅｎｅ−ｖｉｎｙｌ  ａｃｅｔａｔｅ  ｃｏｐｏ、エチレン−酢酸ビニル共重合体）、高反発スポンジ、ＴＰＵ（Ｔｈｅｒｍｏｐｌａｓｔｉｃ  ｐｏｌｙｕｒｅｔｈａｎｅｓ、熱可塑性ポリウレタンエラストマー）、ＰＵ（ｐｏｌｙｕｒｅｔｈａｎｅ、ポリウレタン）などの柔軟弾性材料であることもできる。基材４０１の材料はテキスタイル、化繊を選択する。基材４０１の材料は突起部４０３と同じ材料を選択することもできる。
【００４７】
図８を参照すると、突起部４０３は、その底部の円柱形実体である凸柱４０３１が所定の高度を有するので、足により踏圧されると変形される。初期状態で、突起部４０３と基材４０１の間の角度は垂直状態の９０°であり、シリコンゴム材料からなる突起部４０３は所定の弾性を有するので、均一に分布された複数の突起部４０３が足底により踏圧されると、各突起部４０３は異なる大きさの圧力を受けて変形される。前記変形は凸柱４０３１の上部又は上カバー４０３３が圧力を受けて辺部に向かって傾斜することを意味し、受ける圧力の大きさによって傾斜角度は０〜９０°範囲内で変化する。圧力が十分に大きいとき、又は足底が突起部４０３に対してよこに向かって傾斜する横方向駆動力を与えるとき、突起部４０３の傾斜角度は極限状態の０°傾斜になり、即ち突起部４０３の頂部の上カバー４０３３は直接に基材４０１に接触する。
【００４８】
インソール４０に対する圧力が除去された後、突起部４０３の柔軟性材料リバウンド特性によって、突起部４０３は自動的に元の状態に戻り、突起部４０３と基材４０１の間の角度は垂直状態の９０°になる。
【００４９】
従来のインソールとの本質的な区別は、従来のインソールは圧力を受けた後に上下圧弾振動吸収マッサージすることができるが、辺縁に向かって傾斜する状態が発生しない。効果を見ると、本考案の突起部４０３の設計は従来の技術の圧弾振動吸収マッサージ効果を回転振動吸収マッサージ効果に上昇させる。図９を参照すると、回転振動吸収及び回転マッサージとは、各突起部４０３がある時刻に力を受けると、力の方向及び大きさによって異なる方向に向かって傾斜し、次の時刻に力の方向が変化すると、その傾斜方向も同期に変化し、且つ力を受けない時刻に元の初期状態に戻り、突起部４０３と基材４０１の間の角度は９０°になることを意味する。初期状態で突起部４０３と基材４０１は垂直状態になり、力を受けると、各突起部４０３は全て初期状態における突起部４０３と基材４０１の垂直軸線４０９をめぐって立体３６０°回転することができる。だから、人が歩いているところ、足底の踏圧により、突起部４０３に対する異なる時刻の異なる圧力及び圧力方向は、突起部４０３が異なる時刻に異なる傾斜状態になることにして、これらの状態の間の変換過程で足底に対して回転式マッサージ及び振動吸収効果が生じる。
【００５０】
突起部４０３に所定空間を与えて、外力を受けるときに傾斜又は回転することができ、外力を除去するときに自動的に原始状態に回復するようにする。だから、本考案において、突起部４０３のパラメーターは任意に設定したものではなく、以下のように特別に限定したものである。突起部４０３の分布密度は３０％〜７０％であり、凸柱の直径は１〜７ｍｍであり、突起部４０３の高度は１〜７ｍｍであり、隣り合う２つの突起部４０３の間の隙間は０．５〜５ｍｍであり、突起部４０３の材料硬度（ショア硬さＡ）は１０〜５０度である。
【００５１】
本考案の有益な効果を体現するために、以下、実験を採用して説明する。
【００５２】
（実験サンプル）
【００５３】
サンプル１は、従来の技術のインソール１０であり、ただ１つの基材１０１を備え、基材１０１は平面である。
【００５４】
サンプル２は、従来の技術のインソール２０であり、１つの基材２０１を備え、基材２０１は平面であり、基材２０１の上には複数の半球状突起２０３が設置される。
【００５５】
サンプル３〜サンプル１１は、本考案に係わるインソール４０であり、基材４０１における突起部４０３の被覆率は３０〜７０％であり、隣り合う２つの突起部４０３の間の隙間は０．５〜５ｍｍであり、横断面直径は１〜７ｍｍであり、突起部４０３の高度は１〜７ｍｍであり、円柱形実体である凸柱の高度も１〜７ｍｍであり、材料硬度（ショア硬さＡ）は１０〜５０度であり、基材４０１は正面４０１１及び背面４０１５を備え、その間に挟まれる中間層４０１３も備える。
【００５６】
サンプル１２は、本考案に係わるインソール４０であり、基材４０１における突起部４０３の被覆率は３０〜７０％であり、隣り合う２つの突起部４０３の間の隙間は０．５〜５ｍｍであり、横断面直径は１〜７ｍｍであり、突起部４０３の高度は１〜５ｍｍであり、円柱形実体である凸柱の高度も１〜５ｍｍであり、材料硬度（ショア硬さＡ）は１０〜５０度であり、基材４０１は正面４０１１及び背面４０１５を備え、その間に中間層４０１３を設置しない。
【００５７】
（実験環境）
【００５８】
上述した複数のサンプルを１つの運動靴の中に放置し、標準体重の成人がこの運動靴をはいて都会の道路で正常に歩き、テスト時間は３日維持する（毎日の歩行時間は８時間である）。
【００５９】
（実験目的）
【００６０】
インソール１０、インソール２０及びインソール４０の通気性、圧弾振動吸収マッサージ、回転振動吸収、回転マッサージ、インソール基材１０１，２０１，４０１の滑り止め、巻き止め、快適性を検査する。
【００６１】
（実験効果）
【００６２】
通気性、振動吸収効果、回転マッサージ可能であるか否か、突起部の回転マッサージの範囲（回転マッサージの強度を直接に影響する）、滑り止め、全体快適度、巻き止め可能であるか否かなどを備える。効果は、非常に強い、強い、中、弱い、無の五つの等級に分けることができる。
【００６３】
以下のグラフはテスト指標の内容である。
【００６４】
0003213706.tif 000003
【００６５】
実験データから見ると、各実験効果は全てそれに関連するパラメーターから決まるものであり、任意に設定したものではない。以下のように総括することができる。
【００６６】
１．サンプル３，４，５において、突起部４０３の分布率は３０％であり、突起部４０３の隙間、高度、直径は同じであり、硬度が異なる場合、突起部４０３の硬度が大きければ大きいほど、回転振動吸収強度及び回転マッサージ強度が強い。
【００６７】
２．サンプル６，７，８において、突起部４０３の分布率は５１％であり、突起部４０３の隙間、硬度、直径は同じであり、高度が異なる場合、突起部４０３の高度が大きければ大きいほど、回転振動吸収強度及び回転マッサージ強度が強い。
【００６８】
３．サンプル９，１０，１１において、突起部４０３の高度、直径、硬度は同じであり、分布率及び隙間が異なる場合、突起部４０３の分布率が小さければ小さいほど（サンプル９）又は大きければ大きいほど（サンプル１１）、回転振動吸収強度及び回転マッサージ強度が弱い。
【００６９】
４．サンプル１２において、基材に硬質中間層を設置しなかった場合、全体快適度に影響する。
【００７０】
図１０を参照すると、いわゆる巻き止め機能は、インソール４０を巻くとき、硬質中間層４０１３が存在していることから、インソール４０を最大範囲でも巻き軸に回り折り畳ませることができるものであり、突起部４０３が外力を受けたことによりインソール４０が多層折り畳み状態になることはなくなる（図１１を参照）。だから、インソール４０を靴内に敷くとき、足底がインソール４０にどんなに大きい前向き駆動力を与えても、インソール４０は巻かなく、足底の不快適感が発生しない。  
【００７１】
上述した実験結論を総括すると、従来の技術に比べて、本考案のインソール４０に対して実験を行って、精確なテストと計算によって突起部４０３のサイズ及び分布密度を確定するので、本考案のインソール４０は優れる通気性、振動吸収、回転マッサージ、滑り止め、快適、巻き止めなどの効果を有する。なお、異なる使用者の需要によって所定範囲内で異なる値を取ることができる。例えば、基材４０１における突起部４０３の被覆率が３０〜４０％である場合、突起部４０３の隙間及び突起部４０３が力を受けるときの湾曲ラジアンは大きく、突起部４０３と基材４０１の接触面積は大きく、足底に対するインソール４０の回転マッサージ及び回転振動吸収強度は減少するが、通気性及び柔軟マッサージ効果はもっと良い。基材４０１における突起部４０３の被覆率が６０〜７０％である場合、突起部４０３の隙間及び突起部４０３が力を受けるときの湾曲ラジアンは小さく、突起部４０３と基材４０１の接触面積は小さく、インソール４０の感覚はちょっと硬く、しかし突起部４０３と足底の接触面積を増加したので、突起部４０３が踏圧されるときの上下圧弾振動吸収マッサージと凹凸滑り止め効果はもっと良い。基材４０１における突起部４０３の被覆率が４５〜５５％であり、好ましくは５１％であり、突起部４０３の隙間は好ましくは１ｍｍである場合、突起部４０３の間の隙間距離及び突起部４０３が力を受けるときの湾曲ラジアンは、突起部４０３のマッサージ及び振動吸収強度を最大にすることができ、且つ３６０度回転マッサージ及び回転振動吸収することができる。だから、対応する特定目的によって上述した被覆率を使用することができる。通気、軽量、柔軟マッサージ作用を突出しようとする場合は、好ましくは３０％を選択し、３６０度回転マッサージ及び３６０度回転振動吸収作用を突出しようとする場合は、好ましくは４５％、５１％、５５％を選択し、圧弾振動吸収作用を突出しようとする場合は、好ましくは７０％を選択する。基材４０１における突起部４０３の被覆率が４５〜５５％である場合、インソール４０の通気、回転マッサージ、回転振動吸収、滑り止め及び快適性は最も良い。
【００７２】
実際に使用しているところ、異なるパラメーターの突起部４０３及び異なる分布率の突起部４０３を設置することもでき、即ち基材４０１の各領域における突起部４０３の被覆率は異なる。例えば、前足部に対応する突起部４０３の被覆率は３０％に設定し、踵部に対応する突起部４０３の被覆率は５１％に設定すると、前足部に対して柔軟マッサージし、踵部に対して強力回転マッサージすることができる。
【００７３】
図１２を参照すると、本考案の第二実施例に係わるインソール５０の構造は、第一実施例に係わるインソールの構造とほぼ同じであるが、突起部５０３の形状が異なる。基材５０１の上に複数の突起部５０３が均一に設置される。突起部５０３の下部は角柱形実体である凸柱（図示せず）であり、基材５０１の正面に固定されており、その断面形状は正六角形であり、他の正多角形又は普通の四角形であることもできる。突起部５０３の上部には同様に上カバー（図示せず）が設置されており、凸柱と上カバーは一体成型される。突起部５０３のパラメーターは第一実施例と同じであるから、本実施例に係わるインソール５０は第一実施例で述べているすべての効果を有する。  
【００７４】
図１３及び図１４を参照すると、本考案の第三実施例に係わるインソール６０は、基材６０１及び基材６０１の上に設置された突起部６０３を備える。突起部６０３は、第一実施例に係わる突起部４０３であることができ、第二実施例に係わる突起部５０３であることもできる。区別は、基材６０１は正面層６０１１、背面層６０１５、中間層６０１３を備え、中間層６０１３は正面層６０１１と背面層６０１５の間に位置し、正面層６０１１は人の足底に対向し、背面層６０１５は靴内底面に対向する。基材６０１の厚さは０．５〜５ｍｍであり、好ましくは２ｍｍである。
【００７５】
正面層６０１１は綿毛テキスタイルにより製作され、綿毛は粘着作用を有するので、突起部６０３は正面層６０１１によく粘着される。背面層６０１５は綿毛テキスタイルにより製作されて滑り止め作用を有し、綿毛面は粗造りであるので対向する靴内底面と大きい摩擦力を生成して、インソール６０が靴内底面に緊密に貼り合せることにして、変位しなく、靴から滑り出さない。中間層６０１３は硬質化繊により製作されるので、インソール６０は靴内で多層折畳み状態又は巻き状態にならなく、独立な外力作用によって基材６０１は巻き軸に回り折り畳ませることができる。全足底インソールである場合、基材６０１の形状は、人の足底全部がインソール６０の基材６０１に垂直投影された平面形状と同じであり、面積寸法も同じである。前足部インソール又は踵部インソールである場合、基材６０１の形状は、人の部分足底がインソール６０の基材６０１に垂直投影された平面形状と同じであり、面積寸法も同じである。
【００７６】
ただ基材６０１をインソールとして使用することもできる。
【００７７】
図１５を参照すると、本考案の第四実施例に係わるインソール７０の構造は、本考案の第一実施例に係わるインソール４０の構造とほぼ同じであり、インソール７０も基材を備える。基材は、正面層７０１１（人の足底に対向する）と、背面層７０１５（靴内底面に接触する）と、背面層７０１５と正面層７０１１との間に挟まれる硬質中間層７０１３と、を備える。正面層７０１１の上面には複数の突起部７０３が均一に設置されており、突起部７０３の上面には保温層７０５が設置され、保温層７０５と突起部７０３は互いに粘着される。保温層７０５の材料は、不織布、テキスタイル、皮革、人工皮革、マイクロファイバーＰＵ合成皮革又はシルケットベルベットなどの柔軟保温材料である。
【００７８】
本実施例に係わる保温層７０５構造は本考案の第一、第二、第三実施例のインソール４０、５０、６０にも適用される。
【００７９】
本考案のインソール４０、５０、６０、７０の突起部４０３、５０３、６０３、７０３の形状は、字母、数字、ストライプ、花、動物のエンボス及び透かし彫りの（ｈｏｌｌｏｗ  ｏｕｔ）形状であることもできる。
【００８０】
本考案に係わるインソール４０、５０、６０、７０は以下の方法で製造することができる。
【００８１】
方法一：突起部４０３、５０３、６０３、７０３の材料を金型熱圧する方法で基材４０１、５０１、６０１、７０１の上に固定する。
【００８２】
方法二：突起部４０３、５０３、６０３、７０３の材料を金型注射する方法で基材４０１、５０１、６０１、７０１の上に固定する。
【００８３】
方法三：突起部４０３、５０３、６０３、７０３は同じ材料を採用し、注射又は圧縮成形（Ｃｏｍｐｒｅｓｓｉｏｎ  ｍｏｕｌｄｉｎｇ）などの加工方式によって前記材料でインソール４０、５０、６０、７０を形成する。
【００８４】
方法四：インソールの基材４０１、５０１、６０１、７０１の材料を貼り合わせ方法によって一体成型してからカットして人の足底と同じ形状になる。
【００８５】
本考案のインソール４０、５０、６０、７０を使用する場合、インソール４０、５０、６０、７０を反転してから靴内に敷いても同じ振動吸収効果を有する。
【００８６】
図１６及び図１７を参照すると、本考案の第五実施例に係わる靴８０であり、靴底８０１を備え、靴底８０１は人の足底に対向する正面８０１１と地面に接触する背面８０１５を備え、靴底８０１の正面８０１１及び背面８０１５は全て平面であり、靴底８０１の正面８０１１には複数の突起部８０３が均一に設置される。「均一に設置される」とは、設置された各突起部８０３はほぼ同じであり且つ隣り合う２つの突起部８０３の間の間隔は同じであることを指す。だから、靴底８０１の正面８０１１に均一に設置された複数の突起部３８０３において、いかなる単位面積内に分布された突起部８０３の数量は同じである。
【００８７】
突起部８０３の設置領域は靴底８０１の正面８０１１を備え、靴底正面８０１１の範囲内で１つの領域又は複数の領域に均一に設置することができ、例えば、靴底正面８０１１における前足部に対応する領域、靴底正面８０１１における踵部に対応する領域であり、靴底正面８０１１における突起部８０３の設置領域分布は１つ又は複数であることができる。
【００８８】
靴８０は子供靴、サンダル、ハイヒール、運動靴などのようないずれか一種又は多種であることができるが、これに限定されるものではない。
【００８９】
突起部８０３は、円柱形実体である凸柱８０３１と、円柱形実体である凸柱８０３１の上に設置された小さい半球状の上カバー８０３３と、を備える。円柱形実体である凸柱８０３１の高度は上カバー８０３３の全体厚さより大きい。円柱形実体である凸柱８０３１と上カバー８０３３は一体成型されて突起部８０３になり、円柱形実体である凸柱８０３１は靴底８０１の正面８０１１に固定され、上カバー８０３３は人の足底に接触する。上カバー８０３３は小さい半球状であるので、足と靴８０の接触面積を増加することに役立ち、足が受ける圧力を減少することに役立ち、且つ横方向の摩擦力を増加する。だから、人の足底に接触するときに特別に快適に感じる。もちろん、上カバー８０３３を設置しなくてもよく、突起部８０３はただ所定高度を有する円柱形実体である凸柱８０３１からなる。
【００９０】
靴底８０１の正面８０１１に設置された各突起部８０３は外力作用によって前後左右に傾斜してリバウンドすることができる。
【００９１】
突起部８０３の横断面の直径は１〜７ｍｍであり、好ましくは３ｍｍであり、突起部８０３の高度は１〜７ｍｍであり、好ましくは３ｍｍであり、円柱形実体である凸柱８０３１が基材８０１から突出する高度も１〜７ｍｍである。突起部８０３は基材８０１の上に均一に分布され、隣り合う２つの突起部８０３の間の隙間は０．５〜５ｍｍであり、好ましくは１ｍｍである。隙間は隣り合う２つの突起部８０３の外壁の間の最短距離を指し、即ち図面に示された隙間Ｈである。全ての突起部８０３の被覆率、即ち全ての突起部８０３の底部面積の総和が靴底８０１の表面積を占める比率は３０％〜７０％であり、好ましくは５１％である。
【００９２】
突起部８０３の材料はシリコンゴムを選択し、シリコンゴムのショア硬さ（ｓｈｏｒｅ  ｈａｒｄｎｅｓｓ）Ａは１０〜５０度であり、好ましくは３０度であり、伸長率は２００〜４００％である。突起部８０３の材料はＰＶＣ（Ｐｏｌｙｖｉｎｙｌ  ｃｈｌｏｒｉｄｅ  ｐｏｌｙｍｅｒ、ポリ塩化ビニル）、熱可塑性インク、ＥＶＡ（Ｅｔｈｙｌｅｎｅ−ｖｉｎｙｌ  ａｃｅｔａｔｅ  ｃｏｐｏ、エチレン−酢酸ビニル共重合体）、高反発スポンジ、ＴＰＵ（Ｔｈｅｒｍｏｐｌａｓｔｉｃ  ｐｏｌｙｕｒｅｔｈａｎｅｓ、熱可塑性ポリウレタンエラストマー）、ＰＵ（ｐｏｌｙｕｒｅｔｈａｎｅ、ポリウレタン）などの柔軟弾性材料であることもできる。
【００９３】
突起部８０３は、その底部の円柱形実体である凸柱８０３１が所定の高度を有するので、足により踏圧されると変形される。変形状態及び効果はインソール４０の突起部４０３と同じであり、具体的には、突起部４０３の変形説明を参照することができる。以下、例を挙げて説明する。
【００９４】
初期状態で、突起部８０３と靴底８０１の間の角度は垂直状態の９０°であり、シリコンゴム材料からなる突起部８０３は所定の弾性を有するので、均一に分布された複数の突起部８０３が足底により踏圧されると、各突起部８０３は異なる大きさの圧力を受けて変形される。前記変形は凸柱８０３１の上部又は上カバー８０３３が圧力を受けて辺部に向かって傾斜することを意味し、受ける圧力の大きさによって傾斜角度は０〜９０°範囲内で変化する。圧力が十分に大きいとき、又は足底が突起部８０３に対してよこに向かって傾斜する横方向駆動力を与えるとき、突起部８０３の傾斜角度は極限状態の０°傾斜になり、即ち突起部８０３の頂部の上カバー８０３３は直接に靴底８０１に接触する。
【００９５】
圧力が除去された後、突起部８０３の柔軟性材料リバウンド特性によって、突起部８０３は自動的に元の状態に戻り、突起部８０３と靴底８０１の間の角度は垂直状態の９０°になる。
【００９６】
従来の靴との本質的な区別は、従来の靴は圧力を受けた後に上下圧弾振動吸収マッサージすることができるが、辺縁に向かって傾斜する状態が発生しない。効果を見ると、本考案の突起部８０３の設計は従来の技術の圧弾振動吸収マッサージ効果を回転振動吸収マッサージ効果に上昇させる。  
【００９７】
突起部８０３に所定空間を与えて、外力を受けるときに傾斜又は回転することができ、外力を除去するときに自動的に原始状態に回復するようにする。だから、本考案において、突起部８０３のパラメーターは任意に設定したものではなく、以下のように特別に限定したものである。突起部８０３の分布密度は３０％〜７０％であり、凸柱の直径は１〜７ｍｍであり、突起部８０３の高度は１〜７ｍｍであり、隣り合う突起部８０３の間の隙間は０．５〜５ｍｍであり、突起部８０３の材料硬度（ショア硬さＡ）は１０〜５０度である。
【００９８】
本実施例に係わる靴８０に設置された突起部８０３の構造はインソール４０に設置された突起部４０３の構造と同じであるので、実験によって獲得した効果もインソール４０と同じであり、具体的にはインソール４０の実験サンプルデータ及び有益効果に対する説明を参照することができる。
【００９９】
図１８を参照すると、本考案の第六実施例に係わる靴９０の構造は、第五実施例に係わる靴の構造とほぼ同じであるが、突起部９０３の形状が異なる。靴底９０１の上に複数の突起部９０３が均一に設置される。突起部９０３の下部は角柱形実体である凸柱（図示せず）であり、靴底９０１の正面に固定されており、その断面形状は正六角形であり、他の正多角形又は普通の四角形であることもできる。突起部９０３の上部には同様に上カバー（図示せず）が設置されており、凸柱と上カバーは一体成型される。突起部９０３のパラメーターは第一実施例と同じであるから、本実施例に係わる靴９０も第一実施例で述べているすべての効果を有する。
【０１００】
図１９を参照すると、本考案の第七実施例に係わる靴１００は、靴底１００１及び靴底１００１の上に設置された突起部１００３を備える。突起部１００３は、第五実施例に係わる突起部８０３であることができ、第六実施例に係わる突起部９０３であることもできる。区別は、突起部１００３の設置領域は靴底１００１全体ではなく、足底の前足部及び踵部に対応され、即ち突起部１００３は足底の前足部及び踵部位置で回転振動吸収及び回転マッサージ効果を発揮する。
【０１０１】
図２０を参照すると、本考案の第八実施例に係わる靴１１０の構造は、本考案の第五実施例に係わる靴８０の構造とほぼ同じである。靴１１０は靴底１１０１を備え、靴底１１０１は正面層１１０１１（人の足底に対向する）及び背面層１１０１５（地面に接触する）を備える。正面層１１０１１の上面には複数の突起部１１０３が均一に設置されており、突起部１１０３の上面には保温層１１０５が設置され、保温層１１０５と突起部１１０３は互いに粘着される。保温層１１０５の材料は、不織布、テキスタイル、皮革、人工皮革、マイクロファイバーＰＵ合成皮革又はシルケットベルベットなどの柔軟保温材料である。  
【０１０２】
本実施例に係わる保温層１１０５構造は本考案の第五、第六、第七実施例の靴８０、９０、１００にも適用される。
【０１０３】
本考案の靴８０、９０、１００、１１０の靴底８０１、９０１、１００１、１１０１の正面の突起部８０３、９０３、１００３、１１０３の形状は、字母、数字、ストライプ、花、動物のエンボス及び透かし彫りの（ｈｏｌｌｏｗ  ｏｕｔ）形状であることもできる。
【０１０４】
本考案に係わる靴８０、９０、１００、１１０は以下の方法で製造することができる。
【０１０５】
方法一：突起部８０３、９０３、１００３、１１０３の材料を金型熱圧する方法で靴底８０１、９０１、１００１、１１０１の上に固定する。靴８０、９０、１００、１１０の靴底８０１、９０１、１００１、１１０１の境界と靴面を接続して開口収容空間を形成する。
【０１０６】
方法二：突起部８０３、９０３、１００３、１１０３の材料を金型注射する方法で靴底８０１、９０１、１００１、１１０１の上に固定する。靴８０、９０、１００、１１０の靴底８０１、９０１、１００１、１１０１の境界と靴面を接続して開口収容空間を形成する。
【０１０７】
方法三：靴８０、９０、１００、１１０の靴底８０１、９０１、１００１、１１０１、突起部８０３、９０３、１００３、１１０３及び靴面の材料を金型注射する方法で一体成型して靴８０、９０、１００、１１０になる。
【０１０８】
以下、第一実施例に係わるインソール４０及び第五実施例に係わる靴８０を主にして本考案の効果を紹介する。本考案の他の実施例は前記実施例と同じ構造を有し且つ以下のような同じ効果を有する。
【０１０９】
従来の技術に比べて、本考案に係わるインソール４０の基材４０１の上には人体足部を支持するための複数の突起部４０３が均一に設置されており、突起部４０３は柔軟な弾性材料により製作され、且つ大量な隙間があるので、靴内部の空気流通を保持することにより通気を確保して、靴の異臭の発生を防止する。
【０１１０】
突起部４０３の形状、寸法、分布密度に対して科学的に設計することにより、回転振動吸収及び回転マッサージ効果を有するインソールを製作する。
【０１１１】
インソール４０の基材４０１の背面は滑り止め材料を採用するので、インソール６０が靴内底面に緊密に貼り合せることにして、変位しない。基材４０１の中部には硬質中間層４０１３を設置したので、インソール４０は靴から滑り出さなく且つ靴内で巻き状態にならなく、インソール４０の実用性を増加する。
【０１１２】
突起部４０３の上に保温層７０５を設置したので、さらにインソールの快適度及びインソールの保温効果を増加する。
【０１１３】
本考案のインソール４０を使用する場合、人が長時間に歩いたり登山したりしてもたらす足の痛みを効果的に解決し、足の痛みによる足部筋肉不快適を効果的に緩和することができる。柔軟、回転振動吸収、回転マッサージの特性は、常に屋外運動をする人々に適切である。
【０１１４】
本考案において、靴８０の靴底８０１には人体足部を支持するための複数の突起部８０３が均一に設置されており、突起部８０３は柔軟であり且つ弾性を有するシリコンゴムにより製作され、且つ大量な隙間があるので、靴８０の内部の空気流通を保持することにより通気を確保して、靴８０の異臭の発生を防止する。  
【０１１５】
突起部８０３の形状、寸法、分布密度に対して科学的に設計することにより、回転振動吸収及び回転マッサージ効果を有する靴８０を製作する。
【０１１６】
突起部８０３の上に保温層１１０５を設置したので、さらに靴８０の快適度及び靴８０の保温効果を増加する。
【０１１７】
本考案の靴８０を使用する場合、人が長時間に歩いたり登山したりしてもたらす足の痛みを効果的に解決し、足の痛みによる足部筋肉不快適を効果的に緩和することができる。柔軟、回転振動吸収、回転マッサージの特性は、常に屋外運動をする人々に適切である。  
【０１１８】
以上実施例に基づいて本考案を具体的に説明したが、本考案は上述の実施例に限定されるものではなく、その要旨を逸脱しない限り、添付の特許請求の範囲の精神及び範囲内に含まれる種々の変更や類似の構成は、すべて最も広い解釈によって本考案の保護範囲内に含まれる。
【符号の説明】
【０１１９】
１０，２０，４０，５０，６０，７０  インソール
３０，８０，９０，１００，１１０  靴
１０１，２０１，４０１，５０１，６０１  基材
２０３，３０３  突起
４０３，５０３，６０３，７０３，８０３，９０３，１００３，１１０３  突起部
３０１，８０１，９０１，１００１，１１０１  靴底
４０９  垂直軸線
７０５，１１０５  保温層
３０１１，４０１１，８０１１  正面
３０１５，４０１５，８０１５  背面
４０１３  中間層
４０３１，８０３１  凸柱
４０３３，８０３３  上カバー
６０１１，７０１１，１１０１１  正面層
６０１３，７０１３  中間層
６０１５，７０１５，１１０１５  背面層
【図１】
0003213706.tif 000004
【図２】
0003213706.tif 000005
【図３】
0003213706.tif 000006
【図４】
0003213706.tif 000007
【図５】
0003213706.tif 000008
【図６】
0003213706.tif 000009
【図７】
0003213706.tif 000010
【図８】
0003213706.tif 000011
【図９】
0003213706.tif 000012
【図１０】
0003213706.tif 000013
【図１１】
0003213706.tif 000014
【図１２】
0003213706.tif 000015
【図１３】
0003213706.tif 000016
【図１４】
0003213706.tif 000017
【図１５】
0003213706.tif 000018
【図１６】
0003213706.tif 000019
【図１７】
0003213706.tif 000020
【図１８】
0003213706.tif 000021
【図１９】
0003213706.tif 000022
【図２０】
0003213706.tif 000023
【手続補正書】
【提出日】平成29年6月12日(2017.6.12)
【手続補正１】
【補正対象書類名】実用新案登録請求の範囲
【補正対象項目名】全文
【補正方法】変更
【補正の内容】
【実用新案登録請求の範囲】
【請求項１】
基材を備え、前記基材は正面及び背面を備え、前記背面は靴内底面に対向し、前記正面は人の足底に対向するインソールであって、
前記正面には同じ高度を有する複数の突起部が均一に設置され、前記突起部は凸柱を備え、前記凸柱は前記基材に固定され、前記凸柱は前記基材から１〜７ｍｍの高度に突出され、前記基材における前記突起部の分布率は３０％−７０％であることを特徴とするインソール。
【請求項２】
前記突起部は上カバーをさらに備え、前記凸柱と前記上カバーは一体成型され、前記凸柱は前記基材に固定され、前記上カバーは人の足底に接触し、前記凸柱は円柱形実体又は角柱形実体であり、その高度は前記上カバーの厚さより大きいことを特徴とする請求項１に記載のインソール。
【請求項３】
隣り合う２つの前記突起部の間の隙間は０．５〜５ｍｍであり、前記凸柱の直径は１〜７ｍｍであることを特徴とする請求項１に記載のインソール。 
【請求項４】
前記突起部の伸長率は２００〜８００％であり、材料はシリコンゴムを選択し、シリコンゴムのショア硬さＡは１０〜５０度であることを特徴とする請求項１に記載のインソール。
【請求項５】
前記突起部は、前記基材の正面に垂直する状態と、圧力を受けて変形された状態と、前記突起部の上カバー又は一部分の凸柱が前記基材の正面に接触する状態と、を備えることを特徴とする請求項２に記載のインソール。
【請求項６】
前記基材における前記突起部の被覆率は４５％〜５５％であり、隣り合う２つの前記突起部の間の隙間は１ｍｍであることを特徴とする請求項１に記載のインソール。
【請求項７】
前記突起部の初期状態は前記基材の正面に垂直し、外部の圧力を受けると、各突起部は全て初期状態における突起部と基材の垂直軸線をめぐって立体３６０°回転し、外部の圧力が除去された後、前記突起部は自動的に初期状態に回復することを特徴とする請求項１に記載のインソール。
【請求項８】
前記基材の正面と背面との間にはさらに硬質中間層が設置され、前記硬質中間層は外力を受けると巻き軸に回り折り畳ませることができることを特徴とする請求項１に記載のインソール。
【請求項９】
前記突起部の上方にはさらに保温層が粘着固定されることを特徴とする請求項１に記載のインソール。
【請求項１０】
前記インソールの形状及び面積は、人の足底全部がインソールの基材に垂直投影された平面形状と同じであり、面積寸法は同じであり、又は人の部分足底がインソールの基材に垂直投影された平面形状と同じであり、面積寸法は同じであることを特徴とする請求項１に記載のインソール。
【請求項１１】
靴底及び靴面を備え、前記靴底と前記靴面は境界で接続されて開口収容空間を形成し、開口は靴口であり、前記靴底は正面及び背面を備え、前記背面は地面に対向し、前記正面は人の足底に対向する靴であって、
前記正面には同じ高度を有する複数の突起部が均一に設置され、前記突起部は凸柱を備え、前記凸柱は前記靴底に固定され、前記凸柱は前記靴底から１〜７ｍｍの高度に突出され、前記靴底における前記突起部の分布率は３０％−７０％であることを特徴とする靴。
【請求項１２】
前記突起部は上カバーをさらに備え、前記凸柱と前記上カバーは一体成型され、前記凸柱は前記靴底に固定され、前記上カバーは人の足底に接触し、前記凸柱は円柱形実体又は角柱形実体であり、その高度は前記上カバーの厚さより大きいことを特徴とする請求項１１に記載の靴。
【請求項１３】
隣り合う２つの前記突起部の間の隙間は０．５〜５ｍｍであり、前記凸柱の直径は１〜７ｍｍであることを特徴とする請求項１１に記載の靴。
【請求項１４】
前記突起部毎の形状及び寸法は同じであり、上カバーの形状は半球状であることを特徴とする請求項１３に記載の靴。
【請求項１５】
前記突起部の伸長率は２００〜４００％であり、材料はシリコンゴムを選択し、シリコンゴムのショア硬さＡは１０〜５０度であることを特徴とする請求項１４に記載の靴。
【請求項１６】
前記突起部は、前記靴底の正面に垂直する状態と、圧力を受けて変形された状態と、前記突起部の上カバー又は一部分の凸柱が前記靴底の正面に接触する状態と、を備えることを特徴とする請求項１２に記載の靴。
【請求項１７】
前記靴底における前記突起部の被覆率は４５％〜５５％であり、隣り合う２つの前記突起部の間の隙間は１ｍｍであることを特徴とする請求項１１に記載の靴。
【請求項１８】
前記突起部の初期状態は前記靴底の正面に垂直し、外部の圧力を受けると、各突起部は全て初期状態における突起部と靴底正面の垂直軸線をめぐって立体３６０°回転し、外部の圧力が除去された後、前記突起部は自動的に初期状態に回復することを特徴とする請求項１１に記載の靴。
【請求項１９】
前記突起部の上方にはさらに保温層が粘着固定されることを特徴とする請求項１１に記載の靴。
【請求項２０】
前記突起部の設置領域の形状及び面積は、人の足底全部が靴底に垂直投影された平面形状と同じであり、面積寸法は同じであり、又は人の部分足底が靴底に垂直投影された平面形状と同じであり、面積寸法は同じであることを特徴とする請求項１１に記載の靴。
【手続補正２】
【補正対象書類名】明細書
【補正対象項目名】０００３
【補正方法】変更
【補正の内容】
【０００３】
図１を参照すると、伝統的なインソール１０であり、基材１０１を備え、基材１０１は人の足底に対向する正面及び靴内底面に対向する背面を備え、基材１０１の正面及び背面は全て平面であり、その形状はほとんど靴底部と一致し、一般的にテキスタイル（織物）、革、ＥＶＡ発泡材料を採用してシート状構造に製作される。このようなインソール１０の通気性は悪く、その構造及び機能は単一であり、ただ靴内底部の厚さを増加するだけで、振動吸収設置はない。
【手続補正３】
【補正対象書類名】明細書
【補正対象項目名】００８６
【補正方法】変更
【補正の内容】
【００８６】
図１６及び図１７を参照すると、本考案の第五実施例に係わる靴８０であり、靴底８０１を備え、靴底８０１は人の足底に対向する正面８０１１と地面に接触する背面８０１５を備え、靴底８０１の正面８０１１及び背面８０１５は全て平面であり、靴底８０１の正面８０１１には複数の突起部８０３が均一に設置される。「均一に設置される」とは、設置された各突起部８０３はほぼ同じであり且つ隣り合う２つの突起部８０３の間の間隔は同じであることを指す。だから、靴底８０１の正面８０１１に均一に設置された複数の突起部８０３において、いかなる単位面積内に分布された突起部８０３の数量は同じである。
【手続補正４】
【補正対象書類名】明細書
【補正対象項目名】００９１
【補正方法】変更
【補正の内容】
【００９１】
突起部８０３の横断面の直径は１〜７ｍｍであり、好ましくは３ｍｍであり、突起部８０３の高度は１〜７ｍｍであり、好ましくは３ｍｍであり、円柱形実体である凸柱８０３１が靴底８０１から突出する高度も１〜７ｍｍである。突起部８０３は靴底８０１の上に均一に分布され、隣り合う２つの突起部８０３の間の隙間は０．５〜５ｍｍであり、好ましくは１ｍｍである。隙間は隣り合う２つの突起部８０３の外壁の間の最短距離を指し、即ち図面に示された隙間Ｈである。全ての突起部８０３の被覆率、即ち全ての突起部８０３の底部面積の総和が靴底８０１の表面積を占める比率は３０％〜７０％であり、好ましくは５１％である。